(57)【要約】【課題】意匠性を損ねることなく、床面に設置することもでき、壁面に設置することもできる空気調和機の室内機を提供する。【解決手段】スタンド５は、基台２に取り付けられることで、段部６により形成される段差を解消した状態で筐体１の設置面を平坦にするとともに、基台２に取り付けられた状態において筐体１のいずれの側面からも突出しないように構成されている。【選択図】図２
2014231959.tif 000002
【特許請求の範囲】
【請求項１】
筐体の背面側を構成する基台と、
前記基台の前面側に着脱自在に取り付けられ、前記筐体の前面側を構成する枠体と、
前記基台の底部側に着脱自在に取り付けられるスタンドと、を備え、
前記基台には、前記基台の周囲の前面側端部を外側に突出させた段部が形成されており、
前記スタンドは、
前記基台に取り付けられることで、前記段部により形成される段差を解消した状態で前記筐体の床面との設置面を平坦にするとともに、前記基台に取り付けられた状態において前記筐体のいずれの側面からも突出しないように構成されている
ことを特徴とする空気調和機の室内機。
【請求項２】
前記スタンドの側面及び背面は、
前記基台に取り付けられた状態において前記基台の側面及び背面と面一となっている
ことを特徴とする請求項１に記載の空気調和機の室内機。
【請求項３】
前記基台の前記段部よりも背面側の奥行寸法は、
前記基台の全体奥行寸法の半分以上の長さとしている
ことを特徴とする請求項１又は２に記載の空気調和機の室内機。
【請求項４】
前記段部の外周面は、
前記枠体の外周面と面一となっている
ことを特徴とする請求項１〜３のいずれか一項に記載の空気調和機の室内機。
【請求項５】
前記枠体の前面側の上側から開閉可能な意匠パネルを備え、
前記スタンドは、
その前面が前記枠体の前面よりも前記意匠パネルの奥行き寸法以上の所定の距離をあけて背面寄りとなるように前記基台に取り付けられる
ことを特徴とする請求項１〜４のいずれか一項に記載の空気調和機の室内機。
【請求項６】
前記スタンドは、
前記枠体の前面から前記スタンドの前面までの距離が、
前記意匠パネルを開いた際に背面側に突出する奥行き寸法よりも大きくなるように構成されている
ことを特徴とする請求項５に記載の空気調和機の室内機。
【請求項７】
前記スタンドは、
その前面の高さが、前記意匠パネルを開いた際に突出する高さよりも大きくなるように構成されている
ことを特徴とする請求項５又は６に記載の空気調和機の室内機。
【請求項８】
前記段部は、
設置される壁面に形成されている開口部の周辺に引っ掛かる突出長さを有している
ことを特徴とする請求項１〜７のいずれか一項に記載の空気調和機の室内機。
【発明の詳細な説明】
【技術分野】
【０００１】
本発明は、床面及び壁面のいずれにも設置することのできる空気調和機の室内機に関するものである。
【背景技術】
【０００２】
従来から、床面及び壁面のいずれにも設置することのできる空気調和機の室内機が存在している（例えば、特許文献１、２参照）。
特許文献１に記載のものは、壁面の一例であるオフィス等に設置されるパーティションにその一部（背面側の一部）を埋め込んで、パーティションに設置が可能であるとともに、下方にスタンドを取り付けて床置き設置も可能にしている。
特許文献２に記載のものは、背面板を据付板として壁面に取り付けることが可能であるとともに、下方に脚を取り付けて床置き設置も可能にしている。
【先行技術文献】
【特許文献】
【０００３】
【特許文献１】特開２００５−７６９０８号公報（図４、５等参照）
【特許文献２】特開２００９−６３２１２号公報（図１、２等参照）
【発明の概要】
【発明が解決しようとする課題】
【０００４】
特許文献１に記載の技術では、スタンドを取り付けて床面に設置可能としているが、床面に設置した状態においては取り付けたスタンドが空気清浄機の前面パネルよりも前方に突出している。そのため、床面に設置した状態においては、床面に不要なスペースを発生させている。
また、特許文献１に記載の技術では、スタンドが空気清浄機の前面パネルよりも前方に突出していることに加え、スタンドの左右方向も空気清浄機と同一面、同一形状ではない。そのため、意匠性を悪化させている。
【０００５】
特許文献２に記載の技術でも、脚を取り付けて床面に設置可能としているが、床面に設置した状態においては取り付けた脚が空気調和機の化粧パネルよりも前方に突出している。そのため、床面に設置した状態においては、床面に不要なスペースを発生させることになる。
また、特許文献２に記載の技術では、脚が空気調和機の化粧パネルよりも前方に突出していることに加え、空気調和機として脚の大きさの占める割合が比較的大きい。そのため、意匠性を悪化させている。
【０００６】
本発明は、上記のような課題を解決するためになされたもので、意匠性を損ねることなく、床面及び壁面のいずれにも設置することのできる空気調和機の室内機を提供することを目的とする。
【課題を解決するための手段】
【０００７】
本発明に係る空気調和機の室内機は、筐体の背面側を構成する基台と、前記基台の前面側に着脱自在に取り付けられ、前記筐体の前面側を構成する枠体と、前記基台の底部側に着脱自在に取り付けられるスタンドと、を備え、前記基台には、前記基台の周囲の前面側端部を外側に突出させた段部が形成されており、前記スタンドは、前記基台に取り付けられることで、前記段部により形成される段差を解消した状態で前記筐体の床面との設置面を平坦にするとともに、前記基台に取り付けられた状態において前記筐体のいずれの側面からも突出しないように構成されているものである。
【発明の効果】
【０００８】
本発明に係る空気調和機の室内機によれば、スタンドによって、段部により形成される段差を解消でき、床面への設置面が平坦になる。そのため、安定した状態で床面に設置することができる。また、スタンドは、筐体のいずれの側面から突出しない。そのため、本発明に係る空気調和機の室内機によれば、床面の設置スペースが必要最小限の面積で済むとともに、意匠性を損ねることがない。
【図面の簡単な説明】
【０００９】
【図１】本発明の実施の形態１に係る空気調和機の室内機の外観を示す斜視図である。
【図２】本発明の実施の形態１に係る空気調和機の室内機を４方向から見た状態を示す図である。
【図３】本発明の実施の形態１に係る空気調和機の室内機を分解した状態を示す分解斜視図である。
【図４】本発明の実施の形態１に係る空気調和機の室内機を分解した状態を示す分解側面図である。
【図５】本発明の実施の形態１に係る空気調和機の室内機を側面から見た状態を拡大して示す側面図である。
【図６】本発明の実施の形態１に係る空気調和機の室内機の筐体からスタンドを取り外した状態を示す斜視図である。
【図７】本発明の実施の形態１に係る空気調和機の室内機の筐体に取り付けるスタンドの構成例を示す構成図である。
【図８】本発明の実施の形態１に係る空気調和機の室内機の筐体に取り付けるスタンドの構成例を示す構成図である。
【図９】本発明の実施の形態１に係る空気調和機の室内機を床面に設置した状態を示す側面図である。
【図１０】本発明の実施の形態１に係る空気調和機の室内機の意匠パネルを開いた状態を示す斜視図である。
【図１１】本発明の実施の形態１に係る空気調和機の室内機の意匠パネルの取り外しの際の流れを示す説明図である。
【図１２】本発明の実施の形態１に係る空気調和機の室内機の意匠パネルの寸法関係を説明するための説明図である。
【図１３】本発明の実施の形態２に係る空気調和機の室内機を空調対象空間の壁面に設置した状態の一例を示す側面図である。
【図１４】本発明の実施の形態２に係る空気調和機の室内機を空調対象空間の壁面に設置した状態の他の一例を示す側面図である。
【図１５】本発明の実施の形態３に係る空気調和機の室内機を空調対象空間の壁面に設置した状態の一例を示す側面図である。
【発明を実施するための形態】
【００１０】
以下、図面に基づいてこの発明の実施の形態について説明する。なお、図１を含め、以下の図面では各構成部材の大きさの関係が実際のものとは異なる場合がある。また、図１を含め、以下の図面において、同一の符号を付したものは、同一又はこれに相当するものであり、このことは明細書の全文において共通することとする。さらに、明細書全文に表わされている構成要素の形態は、あくまでも例示であって、これらの記載に限定されるものではない。
【００１１】
実施の形態１．
図１は、本発明の実施の形態１に係る空気調和機の室内機（以下、室内機１００と称する）の外観を示す斜視図である。図２は、室内機１００を４方向から見た状態を示す図である。図３は、室内機１００を分解した状態を示す分解斜視図である。図４は、室内機１００を分解した状態を示す分解側面図である。図５は、室内機１００を側面から見た状態を拡大して示す側面図である。図１〜図５に基づいて、室内機１００の構成について説明する。なお、図２（ａ）が正面図、図２（ｂ）が上面図、図２（ｃ）が背面図、図２（ｄ）が側面図を、それぞれ示している。
【００１２】
室内機１００は、意匠性を損ねることなく、床面に設置することもでき、壁面に設置することもできるものである。実施の形態１では、室内機１００を床面に設置する場合を例に説明する。室内機１００は、例えば屋外に設置された室外機と冷媒配管を介して接続され、室外機で生成された温熱又は冷熱により空調対象空間（室内機１００の設置された室内等の空間）に温風又は冷風を供給する機能を有している。
【００１３】
室内機１００は、底部に着脱自在なスタンド５が設けられた直方体形状の筐体１を有している。この筐体１は、大きく分けて、箱状の基台（ボックス）２と枠状の枠体（パネル）３とで構成されている。
【００１４】
基台２には、熱交換器５０と、熱交換器５０に空気を供給する図示省略の送風機と、が設置されている。基台２は、上面２ａ及び側面２ｂを有し、前面が開放された箱状となっている。そして、基台２の上面２ａ及び側面２ｂの前面側の端部に、枠体３が取り付けられるようになっている。また、基台２の底部側には、スタンド５が着脱自在に取り付けられる。なお、基台２の底部側は、底面がなく、開放されていてもよい。底面を設けない場合においても、基台２の底部側には、側面２ｂ同士をつなぐ梁部を設けておくとよい。また、基台２の上面２ａ及び側面２ｂの前面側の端部については、後段で詳述する。
【００１５】
室内機１００に搭載されている熱交換器５０は、暖房運転時には凝縮器として作用し、冷房運転時には蒸発器として作用する。つまり、室内機１００は、冷房運転のときには、送風機により、空調対象空間の空気を吸込口５１から吸い込み、吸い込んだ空気を熱交換器５０へ通過させて熱交換し、冷風を吹出口５２から空調対象空間へ吹き出す。また、室内機１００は、暖房運転のときには、送風機により、空調対象空間の空気を吸込口５１から吸い込み、吸い込んだ空気を熱交換器５０へ通過させて熱交換し、温風を吹出口５２から空調対象空間へ吹き出す。
【００１６】
枠体３は、基台２に取り付けられることで、基台２とともに筐体１を構成する。枠体３は、上面３ａ、側面３ｂ、及び、底面３ｃを有し、これらの背面側が、基台２の前面側に装着され、基台２に着脱自在に取り付けられるようになっている。枠体３の上面３ａには、吹出口５２となる開口が形成されている。吹出口５２は、枠体３が基台２に取り付けられると、基台２の風向フラップ５６で開閉可能に覆われる。
【００１７】
また、枠体３は、前後方向を貫通する開口５３を有している。この開口５３は、意匠パネル４に形成されている吸込口５１から吸い込んだ空気を基台２に設置されている熱交換器５０に導く際の風路になる。枠体３には、吸い込んだ空気に含まれている塵埃を除去するフィルタ５５が着脱自在に設置されている。なお、枠体３に底面３ｃを設けず、底部側が開放されていてもよい。底面３ｃを設けない場合においても、枠体３の底部側には、側面３ｂ同士をつなぐ梁部を設けておくとよい。また、フィルタ５５は、意匠パネル４に着脱自在に設置されていてもよい。
【００１８】
筐体１の前面には、枠体３の前面側を開閉可能に覆う意匠パネル４が着脱自在に取り付けられる。意匠パネル４には、空気を基台２の熱交換器５０に導くための吸込口５１が形成されている。意匠パネル４の着脱については、図１０〜図１１で詳述する。
【００１９】
スタンド５は、基台２の底部側に着脱自在に取り付けられ、基台２に取り付けられた状態において筐体１の底面を構成する。上述したように、筐体１を構成する基台２及び枠体３には、底面があってもよいし、底面がなくてもよい。基台２及び枠体３に底面がある場合には、その底面よりも下側にスタンド５が取り付けられ、スタンド５が筐体１の底面を構成する。基台２及び枠体３に底面がない場合には、筐体１の底部側にスタンド５を取り付けることで、筐体１の底面を構成する。スタンド５の構成については、図６〜図８で詳述する。
【００２０】
＜基台２の前面側の端部について＞
室内機１００は、空調対象空間の壁面に設置することが可能になっている。空調対象空間の壁面には、実施の形態３で説明するが、室内機１００を設置するための開口部が形成されている場合がある。この開口部に室内機１００の一部を埋め込んで設置すれば、空調対象空間内での室内機１００の出っ張る部分を少なくすることが可能になる。そこで、室内機１００では、空調対象空間の壁面に形成されている開口部に基台２の一部を埋め込むことができるようになっている。
【００２１】
室内機１００においては、図４に示すように、基台２の背面側の外形の大きさが、枠体３の外形の大きさよりも小さくなっている。つまり、図２（ａ）に示すように室内機１００を正面視した場合には基台２が枠体３に隠れて見えず、図２（ｃ）に示すように室内機１００を背面視した場合には基台２の周囲から枠体３の外周部が見えないようになっている。
【００２２】
なお、基台２の背面側の外形の大きさを特定するものではないが、空調対象空間の壁面に形成される開口部に埋め込むことが可能な大きさになっていればよい。ただし、空調対象空間の壁面に形成される開口部は規格化された大きさになっていることが多く、その大きさに応じて基台２の外形の大きさを定めればよい。
【００２３】
基台２の構成を詳細に説明する。基台２の上面２ａ及び側面２ｂの前面側の端部には段部６が形成されている。基台２に底面がある場合には、底面の前面側の端部にも段部６を形成する。なお、基台２に底面がない場合には、梁部に段部６を形成すればよい。段部６は、基台２の前面側の周囲の端部を外側に突出させて形成されている。つまり、段部６は、フランジのように基台２の前面側の周囲が外周側に出っ張るように形成されている。段部６の突出長さは、段部６の外周面が枠体３の外周面と面一になる程度であればよい。
【００２４】
基台２の上面２ａ及び側面２ｂの段部６よりも背面側の部分、つまり空調対象空間の壁面に形成される開口部に埋め込まれる部分を段差部７と称する。この段差部７の奥行寸法Ｄ２は、基台２の全体奥行寸法Ｄ１の半分以上の長さとする。よって、図２（ｄ）に示すように室内機１００を側面視すると、室内機１００の上面が段部６を介して段差になっている。同様に、図２（ｂ）に示すように室内機１００を上面視すると、室内機１００の側面が段部６を介して段差になっている。また、基台２の段差部７の外形の大きさが、枠体３の外形の大きさよりも小さくなっているため、基台２及び枠体３に底面があってもなくても、図２（ｄ）に示すように室内機１００を側面視すると、室内機１００の底面側も段差になっていることがわかる。
【００２５】
なお、基台２と枠体３との固定について特に限定するものではない。例えば、枠体３の背面側の先端に、枠体３の外周面よりも内側に挿入部を設け、この挿入部を基台２の段部６の内周側に挿入させて、基台２と枠体３とを装着し、固定するとよい。この場合、挿入部を基台２の段部６の内周側に嵌合可能にしておくとよい。また、ヒンジなどを介して、枠体３の背面側の先端面と、基台２の段部６の先端面と、が当接可能なように基台２と枠体３とを装着してもよい。この場合、枠体３の背面側の先端面と、基台２の段部６の先端面と、を当接させ、ネジ等の締結部材を用いて基台２と枠体３とを固定するとよい。
【００２６】
さらに、基台２の背面側の端部または内部に係止部（係止爪や嵌合突起など）を設け、基台２に設けた係止部に対応する部分に係止部と係止する部材（係止爪を引っ掛けるような部材や嵌合突起が嵌合できる嵌合穴など）を設け、これらを係合させて、基台２と枠体３とを装着し、固定してもよい。
【００２７】
＜スタンド５の構成について＞
図６は、室内機１００の筐体１からスタンド５を取り外した状態を示す斜視図である。図７及び図８は、室内機１００の筐体１に取り付けるスタンドの構成例を示す構成図である。図９は、室内機１００を床面９に設置した状態を示す側面図である。図６〜図９に基づいて、スタンド５の構成について説明する。なお、図７（ａ）が上面図、図７（ｂ）が底面図、図７（ｃ）が正面図、図７（ｄ）が背面図、図７（ｅ）が側面図、をそれぞれ示している。また、図８（ａ）が斜め上左側から見た斜視図、図８（ｂ）が斜め下左側から見た斜視図、図８（ｃ）が斜め上右側から見た斜視図、図８（ｄ）が斜め下右側から見た斜視図、をそれぞれ示している。
【００２８】
上述したように、筐体１の底部側も段差になっている（図２（ｄ）参照）。このことは、図６に示すように筐体１からスタンド５を取り外すと、筐体１の底部側にも段差が形成されていることが容易に理解できる。室内機１００は、空調対象空間の壁面に設置することが可能になっているだけでなく、空調対象空間の床面に設置することも可能になっている。ただし、スタンド５を筐体１から取り外した状態では、筐体１の底部側に形成される段差により、室内機１００を不安定な状態で空調対象空間の床面に設置しなければならないことになる。
【００２９】
そこで、室内機１００では、筐体１にスタンド５を取り付けることで、空調対象空間の床面に安定して設置することが可能になっている。つまり、スタンド５は、筐体１に取り付けられた状態において、筐体１の底部側に形成される段差を解消して、室内機１００の底面、つまり室内機１００の床面との設置面を平坦にする機能を果たす。スタンド５の上部側には、筐体１の底部側に形成される段差に対応した段差が形成されており、スタンド５を取り付けることで、これらの段差が組み合わさって筐体１の底部側に形成される段差を解消できる。ただし、スタンド５の上部側の形状を特段限定するものではなく、筐体１の底部側に形成される段差を解消できるような形状であればよい。
【００３０】
なお、スタンド５の底面（床面との設置面）は、全体が平坦になっている必要はなく、図６〜図８に示すようにスタンド５の強度向上や材料費低減の観点からスタンド５に複数の凹凸を形成してもよい。つまり、スタンド５の床面に設置される部分が平坦になっていればよい。また、スタンド５に開口部を形成したり、スタンド５に他の部材を設置したりしてもよい。
【００３１】
また、スタンド５は、筐体１の底部側から基台２に嵌め込んだ後、ネジ等の締結部材で固定するとよい。このようにすれば、スタンド５の取り付けを確実に行うことができる。つまり、スタンド５は、基台２に固定され、枠体３には固定されない。ただし、スタンド５の固定方式は、ネジ等の締結部材を用いたものに限定するものではなく、スタンド５又は基台２のいずれかに引っ掛け爪等を形成し、引っ掛け爪が形成されていない方に引っ掛け爪を引っ掛ける引っ掛け方式としてもよい。
【００３２】
スタンド５を筐体１に取り付けた状態では、スタンド５は、その側面及び背面が基台２の側面及び背面に対して面一となるような寸法に構成されている。これにより、スタンド５を筐体１に取り付けた状態においても、スタンド５及び筐体１の外観が平坦面に見えることになる。そのため、スタンド５を筐体１に取り付けた状態においても、室内機１００の意匠性を損ねることがない。
【００３３】
また、意匠パネル４の着脱の際に併せて説明するが、スタンド５を筐体１に取り付けた状態では、スタンド５は、その前面が枠体３の前面よりも背面寄りに位置するように構成されている。つまり、スタンド５が筐体１に取り付けられた状態においても、スタンド５が意匠パネル４よりも前方に突出することがない。そのため、スタンド５を取り付けた室内機１００を床面に設置しても、床面に不要なスペースを発生させることがない。加えて、スタンド５が意匠パネル４よりも前方に突出することがないため、意匠性を悪化させることもない。
【００３４】
図９に基づいて室内機１００の床面９への設置について説明する。室内機１００を床面９に設置する際には、スタンド５を筐体１の底部に取り付ける。こうすることで、スタンド５によって基台２と枠体３の底部側の形成される段差を解消して、床面９に設置する筐体１の設置面が平らになる。また、スタンド５は、基台２の側面及び背面と同一面を構成されているので、筐体１の四方のいずれからもスタンド５が突出しない。
【００３５】
加えて、スタンド５は、基台２の背面と同一面を構成し、筐体１の四方のいずれからもスタンド５が突出しない。そのため、図９に示すように、室内機１００は、その背面と壁面１０との間に隙間が生じないように当接した状態で、床面９に設置することができる。
【００３６】
＜意匠パネル４の着脱＞
図１０は、室内機１００の意匠パネル４を開いた状態を示す斜視図である。図１１は、室内機１００の意匠パネル４の取り外しの際の流れを示す説明図である。図１２は、室内機１００の意匠パネル４の寸法関係を説明するための説明図である。図１０〜図１２に基づいて、意匠パネル４の着脱について説明する。なお、図１１では、意匠パネル４の取り外しの流れを（ａ）〜（ｃ）として図示している。
【００３７】
上述したように、意匠パネル４は、枠体３の前面側に着脱自在に取り付けられる。ここで、意匠パネル４の着脱構造を特に限定するものではないが、意匠パネル４の上側が枠体３から離れるようにして取り外し可能になっているものについて説明する。図１０に示すように、意匠パネル４は、下側を軸として、上側が枠体３から離れるようにして移動し、取り外し可能になっている。なお、意匠パネル４の周囲は、背面側に折り曲げられている。また、以下の説明において、意匠パネル４の下端部４ａのうち、前面側の端部を角部４ｂと称し、背面側の端部を下枠先端部４ｃと称する。
【００３８】
図１１（ａ）に示すように、意匠パネル４が枠体３に取り付けられている状態においては、枠体３の底面３ｃ（底面３ｃがない場合には梁部、以下底面３ｃと称したものには梁部が含まれているものとする）の下面と、意匠パネル４の下端部４ａの下面とが面一となっている。意匠パネル４の上側を前面側に傾けていくと、図１１（ｂ）に示すように角部４ｂが下方に下がっていく。このとき、角部４ｂがスタンド５よりも下方に下がってしまうと、意匠パネル４をそれ以上傾けることができなくなる。
【００３９】
そこで、室内機１００では、意匠パネル４を着脱可能な位置まで傾けても、角部４ｂがスタンド５よりも下方に下がらない位置となるように設定されている。つまり、室内機１００では、意匠パネル４を着脱可能な位置まで傾けても、角部４ｂが床面に当たらないようにしている。そして、意匠パネル４が着脱自在な位置まで傾けられると、図１１（ｃ）に示すように、意匠パネル４を枠体３から取り外すことができる。
【００４０】
意匠パネル４の寸法関係について図１２を参照しながら説明する。スタンド５を筐体１に取り付けた状態では、スタンド５は、その前面が枠体３の前面よりも意匠パネル４の奥行き寸法以上の所定の距離をあけて背面寄りに取り付けられる。具体的には、スタンド５は、枠体３の前面からスタンド５の前面までの距離Ｄ３が、意匠パネル４を開いた際に背面側に突出する奥行き寸法Ｄ４よりも大きくなるように構成されている。つまり、距離Ｄ３を確保できるように、スタンド５の前後方向の長さが設定されている。
【００４１】
また、スタンド５は、スタンド５の下面から枠体３の底面３ｃまでの高さ、つまり床面から枠体３の底面３ｃまでの高さＨ１が、意匠パネル４を開いた際に突出する高さＨ２よりも大きくなるように構成されている。つまり、高さＨ１を確保できるように、スタンド５の高さが設定されている。したがって、スタンド５によれば、筐体１の高さを低く抑えつつ、意匠パネル４の着脱が可能となる。
【００４２】
したがって、室内機１００では、図１２に示すような寸法でスタンド５を構成しているので、意匠パネル４をスムーズに着脱できる。つまり、意匠パネル４の着脱に際し、床面が邪魔になることがない。
【００４３】
＜室内機１００の作用効果＞
室内機１００は、スタンド５を筐体１の底部側に取り付けた状態で床面に設置する。この場合、スタンド５によって、基台２の段部６により形成される段差を解消でき、床面に設置する筐体１の設置面が平らになる。そのため、室内機１００を安定した状態で床面に設置することができる。また、スタンド５は、基台２の側面及び背面と同一面を構成するとともに、前面は距離Ｄ３を確保できるように構成されているので、室内機１００の四方のいずれにもスタンド５が突出しない。そのため、室内機１００によれば、床面の設置スペースが必要最小限の面積で済む。さらに、室内機１００によれば、スタンド５を取り付けたとしても、全体の高さを低く抑えることも可能になっている。
【００４４】
加えて、スタンド５は、基台２の背面と同一面を構成し、室内機１００の四方のいずれにもスタンド５が突出しないので、室内機１００の背面と空調対象空間の壁面との間に隙間が生じて意匠性を損ねたり、埃が侵入したりするのを避けることができる。
【００４５】
また、スタンド５の前面は、筐体１の前面よりも意匠パネル４の奥行き寸法以上の所定の距離をあけて背面寄りに位置しているので、室内機１００を正面（斜め上）から見た際にスタンド５が見えない。そのため、室内機１００を正面（斜め上）から見た際においても、室内機１００の意匠性を損ねることがない。さらに、スタンド５は、距離Ｄ３、高さＨ１を確保しているため、意匠パネル４の開閉時（着脱時）に意匠パネル４と床面とが接触することなく意匠パネル４の着脱操作が可能となる。
【００４６】
スタンド５は、基台２に下側から固定され、枠体３には固定されていない。そのため、スタンド５が基台２に固定されている状態であっても、枠体３は取り外しが可能になっている。よって、室内機１００の据付時や据付後のサービスで枠体３を着脱する際に、スタンド５によって作業に支障を与えることがない。
【００４７】
実施の形態２．
図１３は、本発明の実施の形態２に係る室内機１００を空調対象空間の壁面に設置した状態の一例を示す側面図である。図１４は、本発明の実施の形態２に係る室内機１００を空調対象空間の壁面に設置した状態の他の一例を示す側面図である。図１３及び図１４に基づいて、室内機１００を壁面１０に設置する場合を例に説明する。なお、実施の形態１との相違点は、室内機１００の設置位置が異なっている点である。この実施の形態２では、実施の形態１と同一部分には同一符号を付し、実施の形態１との相違点を中心に説明するものとする。
【００４８】
実施の形態１で説明したように室内機１００を床面９に設置する場合、室内機１００が床面９に設置されたままの状態では、室内機１００の下側の床面９を掃除することができない。つまり、室内機１００を移動する手間を要さずに、室内機１００の下側の床面９を掃除したいという要望に応えることができない。そのため、室内機１００を、床面９から一定の寸法をあけて壁面１０に設置することがある。
【００４９】
このような場合、室内機１００では、図１３に示すようにスタンド５を取り外した状態で壁面１０に設置することが可能になっている。スタンド５を取り外すことで、基台２と枠体３の底面側の形成される段差が露呈し、室内機１００を正面視した状態において基台２が見えにくくなる。そのため、筐体１が薄く見えるとともに、スタンド５を取り外した分、高さ寸法も小さくなり意匠性が改善することになる。
【００５０】
また、室内機１００では、図１４に示すようにスタンド５を取り付けた状態で壁面１０に設置することも可能になっている。スタンド５の裏面を意匠面にすることにより、室内機１００を下側から見えるような高さ位置に設置したとしても、筐体１の内部が見えることがないので、意匠性を損ねることがない。
【００５１】
以上より、実施の形態２に係る室内機１００は、壁面１０に設置する際に、使用者の意思に応じてスタンド５の着脱を決めることができるようになっている。そして、スタンド５を取り付けた状態であっても、スタンド５を取り外した状態であっても、意匠性を考慮した室内機１００の設置が可能になる。
【００５２】
実施の形態３．
図１５は、本発明の実施の形態３に係る室内機１００を空調対象空間の壁面に設置した状態の一例を示す側面図である。図１５に基づいて、室内機１００を壁面１０に設置する場合を例に説明する。なお、実施の形態２との相違点は、室内機１００を設置する壁面１０の形状が異なっている点である。この実施の形態３では、実施の形態１、２と同一部分には同一符号を付し、実施の形態１、２との相違点を中心に説明するものとする。
【００５３】
実施の形態１で説明したように室内機１００を床面９に設置する場合、実施の形態２で説明したように室内機１００を壁面１０に設置する場合、それらのいずれの場合でも空調対象空間に室内機１００の全部が設置されてしまう。つまり、それ以上の空調対象空間内での室内機１００の占有面積を減らしたいという要望に応えることができない。そのため、室内機１００の空調対象空間側への張り出しを抑えて空調対象空間内での室内機１００の占有面積を減らすように設置することがある。この場合、空調対象空間の壁面１０に形成されている開口部１０ａを利用する。
【００５４】
具体的には、室内機１００の基台２の背面側の段差部７を開口部１０ａより壁面１０内に埋め込み、室内機１００を壁面１０に半埋めにした状態で設置する。これにより、実施の形態１、２よりも室内機１００の空調対象空間側への張り出しを抑えることができ、空調対象空間内での室内機１００の占有面積を減らすことができる。また、室内機１００を壁面１０に半埋めにするので、室内機１００の奥行きを薄く見せることができる。
【００５５】
その際には、スタンド５を筐体１から取り外す。こうすることで、基台２の周囲４方向に段部６が露呈することになる。そして、室内機１００を、開口部１０ａを介して壁面１０に設置すると、基台２の全体奥行寸法Ｄ１の半分以上が開口部１０ａ内に納まることになる。そのため、空調対象空間側に突出する室内機１００の露呈部分を少なく抑えることができる。
【００５６】
ただし、段差部７と開口部１０ａの内壁面との間に隙間１３が形成されるので、室内機１００を設置した後、開口部１０ａの周囲をパテなどで埋める処理が必要になる。しかしながら、室内機１００によれば、段差部７と開口部１０ａの内壁面との間に隙間１３が形成されたとしても、隙間１３が段部６によってカバーされることになる。つまり、段部６が開口部１０ａの周辺に引っ掛かる程度の突出長さに構成されているため、段差部７を壁面１０に埋め込んだとしても、段部６が開口部１０ａの周辺に引っ掛かり、段部６が隙間１３のカバーとして機能することになる。
【００５７】
以上より、実施の形態３に係る室内機１００は、壁面１０に形成されている開口部１０ａを利用して設置する際においても、室内機１００の意匠性を損ねることがなく、隙間１３を埋めるような処理も不要となる。
【符号の説明】
【００５８】
１  筐体、２  基台、２ａ  上面、２ｂ  側面、３  枠体、３ａ  上面、３ｂ  側面、３ｃ  底面、４  意匠パネル、４ａ  下端部、４ｂ  角部、４ｃ  下枠先端部、５  スタンド、６  段部、７  段差部、９  床面、１０  壁面、１０ａ  開口部、１３  隙間、５０  熱交換器、５１  吸込口、５２  吹出口、５３  開口、５５  フィルタ、５６  風向フラップ、１００  室内機。
【図１】
2014231959.tif 000003
【図２】
2014231959.tif 000004
【図３】
2014231959.tif 000005
【図４】
2014231959.tif 000006
【図５】
2014231959.tif 000007
【図６】
2014231959.tif 000008
【図７】
2014231959.tif 000009
【図８】
2014231959.tif 000010
【図９】
2014231959.tif 000011
【図１０】
2014231959.tif 000012
【図１１】
2014231959.tif 000013
【図１２】
2014231959.tif 000014
【図１３】
2014231959.tif 000015
【図１４】
2014231959.tif 000016
【図１５】
2014231959.tif 000017